(57)【要約】      （修正有）【課題】蓋外フラップと一対の蓋内フラップとを容易かつ確実に係合することが可能な箱用シートを提供する。【解決手段】１枚のシートからなり、左右方向に交互に連接され、組立状態で四角筒状体を形成する一対の第１側面パネル１ａ、１ｂ及び一対の第２側面パネル２ａ、２ｂと、一方の第１側面パネル１ａ、１ｂの上縁から延出する蓋外フラップ３と、一対の第２側面パネル２ａ、２ｂの上縁から延出する一対の蓋内フラップ４ａ、４ｂとを備え、箱型に組立可能な箱用シートであって、一対の蓋内フラップ４ａ、４ｂがそれぞれ係止孔１３ａ、１３ｂを有し、蓋外フラップ３が、一対の蓋内フラップ４ａ、４ｂの外面に折り重ねられ、四角筒状体の上部開口を封止する本体１０を有し、本体１０が、両側縁に形成され、一対の係止孔１３ａ、１３ｂに挿入可能な一対の突出部１０ａと、各側縁の突出部１０ａよりも先端側部分と基端側部分とに接続される一対の円弧状の折り曲げ容易線１０ｂとを有する。【選択図】図１
0003221010.tif 000002
【実用新案登録請求の範囲】
【請求項１】
１枚のシートからなり、
左右方向に交互に連接され、組立状態で四角筒状体を形成する一対の第１側面パネル及び一対の第２側面パネルと、
一方の上記第１側面パネルの上縁から延出する蓋外フラップと、
上記一対の第２側面パネルの上縁から延出する一対の蓋内フラップと
を備え、箱型に組立可能な箱用シートであって、
上記一対の蓋内フラップがそれぞれ係止孔を有し、
上記蓋外フラップが、上記一対の蓋内フラップの外面に折り重ねられ、上記四角筒状体の上部開口を封止する本体を有し、
上記本体が、両側縁に形成され、上記一対の係止孔に挿入可能な一対の突出部と、各側縁の上記突出部よりも先端側部分と基端側部分とに接続される一対の円弧状の折り曲げ容易線とを有する箱用シート。
【請求項２】
上記突出部が、上記本体の延出方向中央部に形成され、
上記折り曲げ容易線が、上記本体の先端側角部と基端側角部とに接続されている請求項１に記載の箱用シート。
【請求項３】
上記側縁の上記突出部と折り曲げ容易線との間の領域が外側に凸な円弧状である請求項１又は請求項２に記載の箱用シート。
【請求項４】
上記係止孔が上記蓋内フラップの延出方向先端側に凸な三日月状である請求項１、請求項２又は請求項３に記載の箱用シート。
【請求項５】
上記本体の延出方向長さに対する上記折り曲げ容易線の曲率半径の比が０．５以上０．８以下である請求項１から請求項４のいずれか１項に記載の箱用シート。
【考案の詳細な説明】
【技術分野】
【０００１】
本考案は、箱用シートに関する。
【背景技術】
【０００２】
段ボールシートを組み立ててなる箱体が物品の保管用、運搬用等として広く用いられている。この段ボールシートとしては、左右方向に交互に連接され、組立状態で四角筒状体を形成する一対の第１側面パネル及び一対の第２側面パネルと、一方の第１側面パネルの上縁から延出し、四角筒状体の上部開口を封止する蓋外フラップと、一対の第２側面パネルの上縁から延出し、上記蓋外フラップの内側に折り込まれる一対の蓋内フラップとを有するものが公知である。
【０００３】
この段ボールシートとしては、蓋部に隙間が形成されることを防止する観点等から、蓋外フラップを一対の蓋内フラップに係合可能なものが提案されている。このような段ボールシートとして、例えば蓋外フラップの両側縁に一対の係止部を設け、一対の蓋内フラップにこの係止部を挿入可能なスリットを設けたものが発案されている（特開２００３−１１２７２２号公報参照）。
【０００４】
この段ボールシートは、蓋外フラップの中央部の押し込みによって一対の係止部をスリットに挿入できるよう構成されている。
【先行技術文献】
【特許文献】
【０００５】
【特許文献１】特開２００３−１１２７２２号公報
【考案の概要】
【考案が解決しようとする課題】
【０００６】
しかしながら、蓋外フラップの中央部の押し込みによって一対の係止部をスリットに挿入する場合、係止部とスリットとの係合面積を十分に大きくし難い。
【０００７】
また、上記公報では、蓋外フラップの押し込みによってスリットが開口するよう、スリットが蓋内フラップの基端側に凸なコ字状に形成されている。しかしながら、この構成によると、箱体の組立状態で蓋外フラップと一対の蓋内フラップとの間に隙間が生じたり、一対の係止部が意図せずスリットから抜け出たりするおそれが高い。
【０００８】
本考案は、このような不都合に鑑みてなされたものであり、蓋外フラップと一対の蓋内フラップとを容易かつ確実に係合することが可能な箱用シートの提供を課題とする。
【課題を解決するための手段】
【０００９】
上記課題を解決するためになされた本考案に係る箱用シートは、１枚のシートからなり、左右方向に交互に連接され、組立状態で四角筒状体を形成する一対の第１側面パネル及び一対の第２側面パネルと、一方の上記第１側面パネルの上縁から延出する蓋外フラップと、上記一対の第２側面パネルの上縁から延出する一対の蓋内フラップとを備え、箱型に組立可能な箱用シートであって、上記一対の蓋内フラップがそれぞれ係止孔を有し、上記蓋外フラップが、上記一対の蓋内フラップの外面に折り重ねられ、上記四角筒状体の上部開口を封止する本体を有し、上記本体が、両側縁に形成され、上記一対の係止孔に挿入可能な一対の突出部と、各側縁の上記突出部よりも先端側部分と基端側部分とに接続される一対の円弧状の折り曲げ容易線とを有する。
【００１０】
当該箱用シートは、蓋外フラップの本体が、各側縁の突出部よりも先端側部分と基端側部分とに接続される一対の円弧状の折り曲げ容易線を有しているので、一対の折り曲げ容易線を箱体の外側に凸になるように折り曲げながら上記本体を折り曲げていくことで、上記一対の突出部を容易かつ確実に一対の係止孔に挿入することができる。従って、当該箱用シートは、上記蓋外フラップと上記一対の蓋内フラップとを容易かつ確実に係合することがきる。
【００１１】
上記突出部が、上記本体の延出方向中央部に形成され、上記折り曲げ容易線が、上記本体の先端側角部と基端側角部とに接続されているとよい。このように、上記突出部が、上記本体の延出方向中央部に形成され、上記折り曲げ容易線が、上記本体の先端側角部と基端側角部とに接続されていることによって、上記一対の折り曲げ容易線の折り曲げによって上記一対の突出部を一対の係止孔に挿入しやすい。
【００１２】
上記側縁の上記突出部と折り曲げ容易線との間の領域が外側に凸な円弧状であるとよい。このように、上記側縁の上記突出部と折り曲げ容易線との間の領域が外側に凸な円弧状であることによって、上記突出部と折り曲げ容易線との間の円弧状部分によって、上記一対の蓋内フラップを下方に押圧することができる。これにより、上記一対の蓋内フラップを全体的に下方に傾斜させることが容易となり、上記一対の突出部を一対の係止孔に挿入しやすい。
【００１３】
上記係止孔が上記蓋内フラップの延出方向先端側に凸な三日月状であるとよい。このように、上記係止孔が上記蓋内フラップの延出方向先端側に凸な三日月状であることによって、組立状態で上記本体と一対の蓋内フラップとの間に隙間ができるのを防止しやすい。また、この構成によると、上記一対の折り曲げ容易線の折り曲げによって上記一対の突出部を一対の係止孔に挿入しやすい。
【００１４】
上記本体の延出方向長さに対する上記折り曲げ容易線の曲率半径の比としては０．５以上０．８以下が好ましい。このように、上記本体の延出方向長さに対する上記折り曲げ容易線の曲率半径の比が上記範囲内であることによって、上記一対の折り曲げ容易線の折り曲げによって上記一対の突出部を一対の係止孔に挿入しやすい。
【００１５】
なお、本考案において、「左右方向」とは、箱用シートを組み立ててなる箱体において想定される一般的な使用態様における水平方向をいう。また、「上」とは、上記左右方向を基準とする上をいう。「外面」とは、箱体における外側の面を意味する。「円弧状」とは、真円、楕円の円弧形状の他、放物線状を含む。また、「円弧状」とは、一部直線が含まれた疑似的な円弧状を含む。
【考案の効果】
【００１６】
以上説明したように、本考案に係る箱用シートは、蓋外フラップと一対の蓋内フラップとを容易かつ確実に係合することができる。
【図面の簡単な説明】
【００１７】
【図１】本考案の一実施形態に係る箱用シートを示す模式的平面図である。
【図２】図１の箱用シートを組み立ててなる箱体の模式的斜視図である。
【図３】図２の箱体の組立手順を示す模式的斜視図である。
【考案を実施するための形態】
【００１８】
以下、適宜図面を参照しつつ、本考案の実施の形態を詳説する。
【００１９】
［箱用シート］
図１の箱用シートは、１枚のシートからなる。当該箱用シートは、左右方向に交互に連接され、組立状態で四角筒状体を形成する一対の第１側面パネル１ａ，１ｂ及び一対の第２側面パネル２ａ，２ｂと、一方の第１側面パネル１ａの上縁から延出する蓋外フラップ３と、一対の第２側面パネル２ａ，２ｂの上縁から延出する一対の蓋内フラップ４ａ，４ｂとを備える（なお、本明細書では、蓋外フラップ３に連接される第１側面パネル１ａを「一方の第１側面パネル１ａ」といい、蓋外フラップ３に連接されない第１側面パネル１ｂを「他方の第１側面パネル１ｂ」ともいう）。また、当該箱用シートは、他方の第１側面パネル１ｂの上縁から延出する折り返しパネル５と、一対の第１側面パネル１ａ，１ｂ及び一対の第２側面パネル２ａ，２ｂの下縁から延出する４つの底フラップ（左右方向外側に位置する第１側面パネル１ａの下縁から延出する第１底フラップ６ａ、左右方向中央側に位置する第１側面パネル１ｂの下縁から延出する第２底フラップ６ｂ、一対の第１側面パネル１ａ，１ｂ間に設けられる第２側面パネル２ａの下縁から延出する第３底フラップ６ｃ、及び左右方向外側の第２側面パネル２ｂの下縁から延出する第４底フラップ６ｄ）と、左右方向外側に位置する第１側面パネル１ａの第２側面パネル２ａとの連接側と反対側の側縁から延出する糊代７とを備える。一対の第１側面パネル１ａ，１ｂ及び一対の第２側面パネル２ａ，２ｂは、糊代７を左右方向外側に位置する第２側面パネル２ｂの内面に貼着することで無端状に接続される。一対の第１側面パネル１ａ，１ｂ及び一対の第２側面パネル２ａ，２ｂは、無端状に接続された状態で四角筒状に広げられることで四角筒状体に形成される。第２側面パネル２ｂへの糊代７の貼着は、例えば接着剤、ステープラー等を用いて行うことができる。なお、図１において、太い実線はシートを切断して形成される切断線を示し、細い実線はシートの片面を筋押しして形成される罫線を示す。また、「下」とは、箱用シートを組み立ててなる箱体において想定される一般的な使用態様における水平方向を左右方向とした場合の下を意味する。「内面」とは、箱体における内側の面を意味する。
【００２０】
当該箱用シートは、箱型に組立可能であり、具体的には図２の箱体２１に組み立てられる。当該箱用シートは、上記四角筒状体の下部開口を封止するように４つの底フラップ６ａ〜６ｄを組み合わせて底部を形成し、折り返しパネル５を上記四角筒状体の内面に折り重ねたうえ、一対の蓋内フラップ４ａ，４ｂを内側に略直角に折り曲げ、さらに蓋外フラップ３を一対の蓋内フラップ４ａ，４ｂの外面に折り重ねて蓋部を形成することで箱体に組み立てられる。なお、上記蓋部の詳細な形成手順については後述する。
【００２１】
当該箱用シートに用いられるシートとしては、当該箱用シートを組み立ててなる箱体２１の形状を維持できる程度の強度を有する限り特に限定されるものではなく、例えば段ボールシート、ボール紙等の紙製シート、合成樹脂製シート、紙製シートと合成樹脂製シートとの積層シート等が挙げられる。中でも、加工性、衝撃吸収性、取扱性、リサイクル性、経済性等の点から紙製シートが好ましく、後述する一対の折り曲げ容易線１０ｂの折り曲げによって一対の突出部１０ａを一対の係止孔１３ａ，１３ｂに挿入しやすい段ボールシートが特に好ましい。当該箱用シートを形成する段ボールとしては、原紙を波形状に形成した中芯をライナーに貼り合わせたものであって、例えば波形状に形成された中芯を１枚のライナーに貼り合わせた片面段ボールシート、片面段ボールシートの段頂にさらにライナーを貼り合わせた両面段ボールシート、両面段ボールシートの片側に片面段ボールシートの段頂を貼り合わせた複両面段ボールシート、複両面段ボールシートの片側に片面段ボールシートの段頂をさらに貼り合わせた複々両面段ボールシート等が挙げられる。これらの中でも、加工性、経済性、耐久性等の点から両面段ボールシートが好ましい。当該箱用シートに用いられるシートの厚さとしては、例えば１．５ｍｍ以上１０ｍｍ以下とすることができ、上記シートが両面段ボールシートである場合、このシートの厚さは例えば５ｍｍとすることができる。
【００２２】
（第１側面パネル）
一対の第１側面パネル１ａ，１ｂは矩形状かつ略同一形状に形成されている。一対の第１側面パネル１ａ，１ｂの左右方向長さは一対の第２側面パネル２ａ，２ｂの左右方向長さよりも大きくてもよい。つまり、一対の第１側面パネル１ａ，１ｂは、箱体２１の長さ面を形成する長さ面パネルであってもよい。
【００２３】
一対の第１側面パネル１ａ，１ｂの左右方向長さとしては、箱体２１に収容する物品の大きさ等に基づいて適宜設定可能であるが、例えば１０ｃｍ以上５０ｃｍ以下とすることができる。一対の第１側面パネル１ａ，１ｂの上下方向長さとしては、箱体２１に収容する物品の大きさ等に基づいて適宜設定可能であるが、例えば３ｃｍ以上３０ｃｍ以下とすることができる。
【００２４】
上述の折り返しパネル５に連接される他方の第１側面パネル１ｂと、この第１側面パネル１ｂの下縁に連接される第２底フラップ６ｂとの境界部分には、両者の境界線に沿って左右方向に延びるスリット１４が形成されている。
【００２５】
（第２側面パネル）
一対の第２側面パネル２ａ，２ｂは矩形状かつ略同一形状に形成されている。一対の第２側面パネル２ａ，２ｂは、一対の第１側面パネル１ａ，１ｂよりも左右方向長さが小さい幅面パネルであってもよい。一対の第２側面パネル２ａ，２ｂの左右方向長さとしては、箱体２１に収容する物品の大きさ等に基づいて適宜設定可能であるが、例えば１０ｃｍ以上５０ｃｍ以下とすることができる。一対の第２側面パネル２ａ，２ｂの上下方向長さとしては、一対の第１側面パネル１ａ，１ｂの上下方向長さと同じとすることができる。
【００２６】
（蓋内フラップ）
一対の蓋内フラップ４ａ，４ｂは矩形状かつ略同一形状に形成されている。蓋内フラップ４ａ，４ｂの幅（左右方向長さ）は第２側面パネル２ａ，２ｂの左右方向長さと略等しい。
【００２７】
一対の蓋内フラップ４ａ，４ｂは、それぞれ係止孔１３ａ，１３ｂを有する。係止孔１３ａ，１３ｂは、蓋内フラップ４ａ，４ｂの幅方向の中央部に形成されている。係止孔１３ａ，１３ｂは、蓋内フラップ４ａ，４ｂの幅方向に延在する細長状である。係止孔１３ａ，１３ｂは、長手方向の中央から両端に向けて蓋内フラップ４ａ，４ｂの延出方向基端側に湾曲している。換言すると、係止孔１３ａ，１３ｂは、蓋内フラップ４ａ，４ｂの延出方向先端側に凸な三日月状である。これにより、当該箱用シートは、組立状態で蓋外フラップ３（より詳しくは後述の本体１０）と一対の蓋内フラップ４ａ，４ｂとの間に隙間ができるのを防止しやすい。また、この構成によると、後述するように一対の折り曲げ容易線１０ｂの折り曲げによって一対の突出部１０ａを一対の係止孔１３ａ，１３ｂに挿入しやすい。
【００２８】
係止孔１３ａ，１３ｂは、長手方向の中央側（つまり、蓋内フラップ４ａ，４ｂの幅方向中央側）が拡幅していることが好ましい。これにより、一対の突出部１０ａを一対の係止孔１３ａ，１３ｂに容易に挿入することができると共に、一対の突出部１０ａと一対の係止孔１３ａ、１３ｂとの係合状態を安定的に保持しやすい。
【００２９】
（蓋外フラップ）
蓋外フラップ３は、一方の第１側面パネル１ａの上縁から延出し、一対の蓋内フラップ４ａ，４ｂの外面に折り重ねられ、上記四角筒状体の上部開口を封止する本体１０と、本体１０の先端縁から延出し、組立状態で他方の第１側面パネル１ｂの外面に折り重ねられる折り曲げ片１１と、折り曲げ片１１の先端縁から延出し、上述のスリット１４に挿入される差込片１２とを有する。
【００３０】
〔本体〕
本体１０は略矩形状である。本体１０の最大幅（左右方向長さ）は、第１側面パネル１ａ，１ｂの左右方向長さと略等しい。また、本体１０の延出方向長さは、第２側面パネル２ａ，２ｂの左右方向長さと略等しい。
【００３１】
本体１０は、両側縁に形成され、一対の係止孔１３ａ，１３ｂに挿入可能な一対の突出部１０ａと、各側縁の突出部１０ａよりも先端側部分と基端側部分とに接続される一対の円弧状の折り曲げ容易線１０ｂとを有する。
【００３２】
突出部１０ａは、本体１０の各側縁の先端側角部と基端側角部とを結ぶ切欠きによって画定される。そのため、突出部１０ａの突出方向の先端は、本体１０の角部よりも幅方向内側に位置している。
【００３３】
突出部１０ａは、本体１０の延出方向中央部に形成されることが好ましい。これにより、突出部１０ａを折り曲げ容易線１０ｂの両端からの距離が等しい位置に形成することが容易となり、折り曲げ容易線１０ｂの折り曲げによって突出部１０ａを本体１０の幅方向の中央側に寄せやすい。その結果、突出部１０ａを係止孔１３ａ，１３ｂに挿入しやすい。
【００３４】
突出部１０ａは、舌片状であることが好ましい。突出部１０ａの基端縁の幅Ｗ１（突出部１０ａの両端間の距離）は、係止孔１３ａ，１３ｂの幅Ｗ２（係止孔１３ａ，１３ｂの長手方向の両端間の距離）と略等しいことが好ましい。また、突出部１０ａの両端と本体１０の角部との左右方向距離Ｌ１は、蓋内フラップ４ａ，４ｂの基端縁と係止孔１３ａ，１３ｂの両端との上下方向距離Ｌ２（蓋内フラップ４ａ，４ｂの延出方向距離）と略等しいことが好ましい。この構成によると、突出部１０ａの両端と係止孔１３ａ，１３ｂの両端とを確実に係合することができ、組立状態で本体１０と一対の蓋内フラップ４ａ，４ｂとの間に隙間が生じるのを防止しやすい。
【００３５】
突出部１０ａの基端縁には折り曲げ容易線は形成されていないことが好ましい。当該箱用シートは、突出部１０ａの基端縁に折り曲げ容易線が形成されていないことで、一対の折り曲げ容易線１０ｂを箱体２１の外側に凸になるように折り曲げながら本体１０を内側に折り曲げていくことで、一対の突出部１０ａを容易かつ確実に一対の係止孔１３ａ，１３ｂに挿入することができる。また、この構成によると、一対の突出部１０ａが一対の係止孔１３ａ，１３ｂから意図せず抜け出ることを抑制することができる。
【００３６】
本体１０の延出方向長さに対する突出部１０ａの基端縁の幅Ｗ１の比の下限としては、０．２が好ましく、０．３がより好ましい。一方、上記比の上限としては、０．５が好ましく、０．４がより好ましい。上記比が上記下限に満たないと、一対の突出部１０ａと一対の係止孔１３ａ，１３ｂとを確実に係合し難くなるおそれがある。逆に、上記比が上記上限を超えると、一対の折り曲げ容易線１０ｂの折り曲げによって一対の突出部１０ａを一対の係止孔１３ａ，１３ｂに挿入するのが容易でなくなるおそれがある。
【００３７】
一対の折り曲げ容易線１０ｂは、例えば本体１０内面を筋押しして形成される罫線である。一対の折り曲げ容易線１０ｂは、真円の円弧状であることが好ましい。一対の折り曲げ容易線１０ｂは、本体１０の先端側角部と基端側角部とに接続されることが好ましい。当該箱用シートは、折り曲げ容易線１０ｂが本体１０の先端側角部と基端側角部とに接続されていることで、本体１０の幅方向の両側を本体１０の延出方向の両端に亘って折り曲げることができ、これにより一対の突出部１０ａを一対の係止孔１３ａ，１３ｂに挿入しやすい。特に、当該箱用シートは、突出部１０ａが本体１０の延出方向中央部に形成されていることで、一対の突出部１０ａを一対の係止孔１３ａ，１３ｂにより容易に挿入しやすい。
【００３８】
本体１０の延出方向長さに対する折り曲げ容易線１０ｂの曲率半径の比の下限としては、０．５が好ましく、０．６がより好ましい。一方、上記比の上限としては、０．８が好ましく、０．７がより好ましい。上記比が上記範囲外であると、一対の折り曲げ容易線１０ｂの折り曲げによって一対の突出部１０ａを本体１０の幅方向の中央側に十分に寄せ難くなり、一対の突出部１０ａを一対の係止孔１３ａ，１３ｂに挿入し難くなるおそれがある。
【００３９】
本体１０の側縁の突出部１０ａと折り曲げ容易線１０ｂとの間の領域は外側に凸な円弧状であることが好ましい。この構成によると、当該箱用シートは、突出部１０ａと折り曲げ容易線１０ｂとの間の円弧状部分１０ｃによって、一対の蓋内フラップ４ａ，４ｂを下方に押圧することができる。これにより、一対の蓋内フラップ４ａ，４ｂを全体的に下方に傾斜させることが容易となり、一対の突出部１０ａを一対の係止孔１３ａ，１３ｂに挿入しやすい。
【００４０】
〔突出部と係止孔との係合手順〕
図３を参照して、一対の突出部１０ａと一対の係止孔１３ａ，１３ｂとの係合手順について説明する。
【００４１】
一対の突出部１０ａを一対の係止孔１３ａ，１３ｂに挿入するにあたっては、図３に示すように、本体１０を一対の折り曲げ容易線１０ｂで山折りに折り曲げつつ、本体１０を一方の第１側面パネル１ａに対して内側に折り曲げていく。一対の突出部１０ａの先端部が一対の係止孔１３ａ，１３ｂに挿入されるまで一対の折り曲げ容易線１０ｂを折り曲げていき、一対の突出部１０ａの先端部が一対の係止孔１３ａ，１３ｂに挿入された状態で一対の折り曲げ容易線１０ｂの折り曲げを解除することで、一対の突出部１０ａがその両端に亘って一対の係止孔１３ａ，１３ｂに挿入され、上述の四角筒状体の上部開口が封止される。
【００４２】
この際、一対の係止孔１３ａ，１３ｂが蓋内フラップ４ａ，４ｂの先端側に凸な三日月状であることで、一対の突出部１０ａの先端部を一対の係止孔１３ａ，１３ｂに挿入した状態で一対の折り曲げ容易線１０ｂの折り曲げを解除することによって一対の突出部１０ａ全体が自動的に一対の係止孔１３ａ，１３ｂに挿入される。
【００４３】
また、一対の折り曲げ容易線１０ｂで山折りに折り曲げることで、本体１０の側縁の円弧状部分１０ｃが一対の蓋内フラップ４ａ，４ｂの外面を適度に押下し、一対の蓋内フラップ４ａ，４ｂが全体的に先端側を下方に向けて傾斜する。これにより、一対の突出部１０ａの内面の一対の蓋内フラップ４ａ，４ｂの外面に対する傾斜角度が大きくなり、一対の突出部１０ａを一対の係止孔１３ａ，１３ｂに容易に挿入することができる。
【００４４】
〔折り曲げ片〕
折り曲げ片１１は、本体１０の先端縁から延出する等脚台形状の基部１１ａと基部１１ａの先端縁から延出する先端部１１ｂとを有する。
【００４５】
〔差込片〕
差込片１２は、先端部１１ｂの先端縁から延出している。差込片１２は、組立状態で上述のスリット１４に挿入される。差込片１２は、後述する舌片５ｂと係合可能な係止孔１２ａを有する。
【００４６】
（折り返しパネル）
折り返しパネル５は、この折り返しパネル５が連接される他方の第１側面パネル１ｂの内面に折り重ねられる第１側面パネル１ｂと略同形状の折り返し片５ａと、折り返し片５ａの先端縁から延出する舌片５ｂとを有する。舌片５ｂは、組立状態で折り返し片５ａに対して略直角に折り曲げられ、４つの底フラップ６ａ〜６ｄによって形成される底部の内面に重ねられる。舌片５ｂは、組立状態で差込片１２に形成される係止孔１２ａと係合される。
【００４７】
（底フラップ）
４つの底フラップ６ａ〜６ｄはいわゆるワンタッチタイプ（糊付け簡易組立形）の構成を有する。より詳しくは、第１底フラップ６ａ及びこの第１底フラップ６ａと隣接する第３底フラップ６ｃが予め貼り合わされ、第２底フラップ６ｂ及びこの第２底フラップ６ｂと隣接する第４底フラップ６ｄが予め貼り合わされている。４つの底フラップ６ａ〜６ｄは、一対の第１側面パネル１ａ，１ｂ及び一対の第２側面パネル２ａ，２ｂが無端状に接続された状態で一対の第１側面パネル１ａ，１ｂ及び一対の第２側面パネル２ａ，２ｂの内面側に折り返した状態で提供される。当該箱用シートは、一対の第１側面パネル１ａ，１ｂ及び一対の第２側面パネル２ａ，２ｂを四角筒状に広げることで、第１底フラップ６ａが第４底フラップ６ｄの内側に滑り込み、第２底フラップ６ｂが第３底フラップ６ｃの内側に滑り込む。これにより底部が組み立てられる。
【００４８】
＜利点＞
当該箱用シートは、蓋外フラップ３の本体１０が、各側縁の突出部１０ａよりも先端側部分と基端側部分とに接続される一対の円弧状の折り曲げ容易線１０ｂを有しているので、一対の折り曲げ容易線１０ｂを箱体２１の外側に凸になるように折り曲げながら本体１０を折り曲げていくことで、一対の突出部１０ａを容易かつ確実に一対の係止孔１３ａ，１３ｂに挿入することができる。従って、当該箱用シートは、蓋外フラップ３（より詳しくは本体１０）と一対の蓋内フラップ４ａ，４ｂとを容易かつ確実に係合することがきる。
【００４９】
［その他の実施形態］
上記実施形態は、本考案の構成を限定するものではない。従って、上記実施形態は、本明細書の記載及び技術常識に基づいて上記実施形態各部の構成要素の省略、置換又は追加が可能であり、それらは全て本考案の範囲に属するものと解釈されるべきである。
【００５０】
例えば、上記蓋外フラップは、一対の蓋内フラップの外面に折り重ねられ、上述の四角筒状体の上部開口を封止可能な本体を有する限り、上述の折り曲げ片、差込片等のその他の片を有しなくてもよい。また、当該箱用シートは、他方の第１側面パネルの上縁から延出する上述の折り返しパネルを有しない構成とすることも可能である。
【００５１】
箱体の底部を形成するための具体的な構成は上記実施形態の構成に限定されるものではない。例えば当該箱用シートは、１つの側面パネルの下縁から延出する１つの底フラップによって底部が形成されてもよい。
【００５２】
上記突出部は、係止孔への挿入容易化の観点から、本体の延出方向の中央部に形成されることが好ましいが、箱体に要求される特性等によっては、本体の延出方向の端部側に形成されてもよい。また、上記折り曲げ容易線は、突出部の係止孔への挿入容易化の観点からは本体の先端側角部と基端側角部とに接続されることが好ましいが、箱体に要求される特性等によっては、本体の側縁の先端側角部及び基端側角部以外の部分に接続されてもよい。
【００５３】
上記本体の側縁の突出部と折り曲げ容易線との間の領域は必ずしも外側に凸な円弧状でなくてもよい。また、一対の蓋内フラップに形成される係止孔の形状は、例えば突出部の形状に対応して設計可能であり、必ずしも蓋内フラップの延出方向先端側に凸な三日月状でなくてもよい。
【産業上の利用可能性】
【００５４】
以上のように、本考案に係る箱用シートは、蓋外フラップと一対の蓋内フラップとを容易かつ確実に係合することができるので、物品の保管用、運搬用等に適している。
【符号の説明】
【００５５】
１ａ，１ｂ  第１側面パネル
２ａ，２ｂ  第２側面パネル
３  蓋外フラップ
４ａ，４ｂ  蓋内フラップ
５  折り返しパネル
５ａ  折り返し片
５ｂ  舌片
６ａ  第１底フラップ
６ｂ  第２底フラップ
６ｃ  第３底フラップ
６ｄ  第４底フラップ
７  糊代
１０  本体
１０ａ  突出部
１０ｂ  折り曲げ容易線
１０ｃ  円弧状部分
１１  折り曲げ片
１１ａ  基部
１１ｂ  先端部
１２  差込片
１２ａ  係止孔
１３ａ，１３ｂ  係止孔
１４  スリット
２１  箱体
【図１】
0003221010.tif 000003
【図２】
0003221010.tif 000004
【図３】
0003221010.tif 000005